(57)【要約】【課題】問題のあるところをきれいに隠すことができ、しかも化粧くずれしにくいベースメイクを、短時間で簡単に行うことのできる、優れたベースメイクアップ方法を提供する。【解決手段】被施術者の顔にベースメイクを施す方法であって、ファンデーションを顔全体に塗布したのち、顔の特定部分に、まず白色コンシーラーを塗布し、上記白色コンシーラーの塗布部の上に、濃色コンシーラーを重ねて塗布し、その塗布部に対し、指先で叩く動作および指先で伸ばす動作の少なくとも一方の動作を行うことにより、重ねられた２色のコンシーラーを混ぜ合わせるようにした。【選択図】なし【特許請求の範囲】
【請求項１】
被施術者の顔にベースメイクを施す方法であって、ファンデーションを顔全体に塗布したのち、顔の特定部分に、まず白色コンシーラーを塗布し、上記白色コンシーラーの塗布部の上に、濃色コンシーラーを重ねて塗布し、その塗布部に対し、指先で叩く動作および指先で伸ばす動作の少なくとも一方の動作を行うことにより、重ねられた２色のコンシーラーを混ぜ合わせるようにしたことを特徴とするベースメイクアップ方法。
【請求項２】
上記ファンデーションが、リキッドファンデーション１００重量部に対しパウダーファンデーション５〜５０重量部を配合してなるパウダー入りファンデーションである請求項１記載のベースメイクアップ方法。
【発明の詳細な説明】
【０００１】
【発明の属する技術分野】
本発明は、化粧品販売店や美容院等において美容員が顧客に対して行う、ベースメイクアップ方法に関するものである。
【０００２】
【従来の技術】
一般に、化粧をする場合、まず、顔に基礎化粧水や乳液等をつけ、つぎにファンデーションを顔全体に伸ばして肌の色を整え、それから、リップカラーやアイカラー等のメイクアップ化粧料を用いることが行われている。また、目の下のクマ、あざ、しみ、赤み等、隠したい部分がある場合には、その部分にコンシーラーを塗布して目立たなくすることが行われている。
【０００３】
【発明が解決しようとする課題】
上記コンシーラーは、肌の色に応じて適宜の色を選択できるよう多くの種類の肌色が用意されており、通常、使用者の肌の色より少し明るい色が用いられるようになっている。そして、パウダーファンデーションと組み合わせて用いる場合は、まずコンシーラーを所定の部位に塗布し、つぎにパウダーファンデーションを塗布して顔全体を仕上げることが行われ、リキッドファンデーションと組み合わせて用いる場合は、先に顔全体にリキッドファンデーションを伸ばしたのち、所定の部位にコンシーラーを塗布し、その上にフェイスパウダー等をつけて仕上げることが行われている。
【０００４】
しかしながら、このような、従来のコンシーラーの用い方では、時間がたつにつれてコンシーラーがファンデーションとともに浮いてきて、化粧くずれがひどくなりやすいため、例えば女優やコンパニオンのように、きちんとしたメイクを長時間維持することが要求される者は、よりきめ細かなベースメイクを、時間をかけて行わなければならない。このようなメイクは、専門の美容員にしてもらうことが多いため、メイクのための拘束時間が長くなって、負担が大きいという問題がある。
【０００５】
本発明は、このような事情に鑑みなされたもので、問題のあるところをきれいに隠すことができ、しかも化粧くずれしにくいベースメイクを、短時間で簡単に行うことのできる、優れたベースメイクアップ方法の提供をその目的とする。
【０００６】
【課題を解決するための手段】
上記の目的を達成するため、本発明は、被施術者の顔にベースメイクを施す方法であって、ファンデーションを顔全体に塗布したのち、顔の特定部分に、まず白色コンシーラーを塗布し、上記白色コンシーラーの塗布部の上に、濃色コンシーラーを重ねて塗布し、その塗布部に対し、指先で叩く動作および指先で伸ばす動作の少なくとも一方の動作を行うことにより、重ねられた２色のコンシーラーを混ぜ合わせるようにしたベースメイクアップ方法を第１の要旨とする。
【０００７】
また、本発明は、上記ベースメイクアップ方法のなかでも、特に、上記ファンデーションが、リキッドファンデーション１００重量部に対しパウダーファンデーション５〜５０重量部を配合してなるパウダー入りファンデーションであるベースメイクアップ方法を第２の要旨とする。。
【０００８】
なお、本発明において、「特定部分」とは、目の下のクマ、あざ、しみ、赤みといった、その人の顔の、本来の地肌の色とは異なる色の肌部分であって、ベースメイクアップによって隠したい部分をいう。また、「白色コンシーラー」とは、明度の指標であるＶ値（マンセル表色系による測色値。以下同じ）が８．０〜１０．０の範囲にある色のコンシーラーをいい、「濃色コンシーラー」とは、同じくＶ値が５．０〜７．０の範囲にある色のコンシーラーをいう。さらに、「重ねられた２色のコンシーラーを混ぜ合わせる」とは、顔の肌の上に塗布され重ねられた２つのコンシーラーを、互いの本来の色が消えて顔の地肌の色に近似する中間色となるように混ぜることをいう。
【０００９】
【発明の実施の形態】
つぎに、本発明の実施の形態について説明する。
【００１０】
本発明は、化粧品販売店や美容院等において、美容員が顧客に対して行うベースメイクアップ方法であり、例えば図１に示すような、ベースメイクアップ用のシート１にまとめられた内容に沿って行われる。以下、このシート１の内容について説明する。
【００１１】
このシート１は、剛性の厚紙シートを２つ折して冊子状にしたもので、表紙となる面１ａの中央に、「○○○○ベースメイクアップ」というタイトル２が表示されており、その下に、「○○○○ベースメイクアップとは………」という、このマッサージの特徴を簡単に説明する文３が表示されている。
【００１２】
そして、上記表紙となる面１ａを開いて表われる見開き面のうち、左側の面４は、図２に示すような構成になっている。すなわち、まず、面４の最上部には、「ベースメイクアップの手順」という見出し５が表示されており、その下に、「１　肌が疲れている場合、乾燥がひどい場合は、保湿用のシートマスクを用いる。マスクを使用しない場合は、化粧水−美容乳液を、通常通り使用する。」という文６が表示されている。そして、その右側に、顔面にシートマスクをつけた状態を示すイラスト７が表示されている。なお、その下に、「シートマスクを剥がした後の余分な水分はティッシュを当ててとる」という説明文８が付されている。このステップでは、シートマスクもしくは化粧水−美容乳液によって、肌に対し水分を供給することがわかる。
【００１３】
また、その下には、「２　美容トリートメント（クリーム兼美容乳液）を指先で塗布し、手のひらを使って顔全体に均一に伸ばす。＊Ｔゾーン等の皮脂分の多い部分は軽く塗り、逆に乾燥している部分は２度塗りしてもよい。」という文９が表示されており、その下には、「３　下地ジェルを指先で塗布し、手のひらを使って顔全体に均一に伸ばす」という文１０が表示されている。これらのステップ２，３では、まず、美容トリートメントを用い、つぎに下地ジェルを用いて、肌の状態を整えることがわかる。
【００１４】
さらに、その下には、「４　パウダー入りリキッドファンデーションを、右図の順番で、手の指全体で手早くぬる。＊指先と顔の間に空気を入れるようにしながらぴたっと塗ることで、ファンデーションを薄くフィットさせる。」という文１１が表示されており、その右側に、この施術における手先の動きを矢印▲１▼〜▲７▼で示すイラスト１２が表示されている。この下には、「おでこから入り、ここでの色を見る」という説明文１３が付されている。このステップでは、顔全体にファンデーションを塗布することが行われることがわかる。
【００１５】
そして、その下には、「５　肌のきめが粗い場合、プレストパウダーを、顔の中心から外側に向けて軽く塗る。」という文１４が付されており、このステップでは、肌のきめが粗い人には、プレストパウダーが塗布されることがわかる。これにより、肌のきめが粗い人であっても、肌のきめが細かい人と同様、きれいな仕上がりを得ることができる。
【００１６】
また、見開き面のうち、右側の面１５は、図３に示すような構成になっている。すなわち、まず、面１５の最上部には、「６　白色コンシーラーを、クマ、あざ、しみ、赤みといった問題のあるところに塗る。」という文１６が表示されており、その右側に、白色コンシーラーを塗布した状態を示すイラスト１７が表示されている。そして、その下に、「７　白色コンシーラーを塗った部分の上に、濃色コンシーラーを重ねて塗り、塗布部を指先でたたき込むような感覚で馴染ませる。場所によっては伸ばす。」という文１８が表示されており、その右側に、上記白色コンシーラーを塗布した部分の上に、濃色コンシーラーを重ねて塗布した状態を示すイラスト１９が表示されている。これらのステップでは、クマ等の問題のある部分が、２種類のコンシーラーでカバーされるようになっていることがわかる。
【００１７】
さらに、その下には、「８　ミストローションを顔全体に吹き掛ける。そのまま何もせず、手先で馴染ませたりしない。」という文２０が表示されている。このステップでは、ベースメイクアップの仕上げにミストローションが用いられ、手先で触ることなく仕上げられるようになっていることがわかる。このようにして仕上げると、メイクアップされた肌につやが出るとともに、メイクが長持ちするという効果を奏する。
【００１８】
このように構成されたシート１の表示にもとづき、美容員は、顧客に対し、一連のベースメイクアップ施術を行うことができる。なお、施術に先立ち、顧客の要望を聞いたり顧客の肌の状態をカウンセリングしたりすることができる。
【００１９】
上記ベースメイクアップ方法によれば、顔全面にファンデーションを塗布したのち、問題のある部分に、白色コンシーラーと濃色コンシーラーを、この順で塗り重ねて顔面で混ぜ合わせるようにしているため、単一の肌色のコンシーラーを用いた場合に比べて、カバー力が高く、しかもくすみがなく透明感のある肌色になり、きれいな仕上がりとなる。そして、このようにしてなされたベースメイクは、長時間化粧くずれしないため、撮影に入る女優や、イベントに参加するコンパニオン等にとって、好都合である。特に、ファンデーションとして、特殊なパウダー入りリキッドファンデーションを用いているため、上記２種類のコンシーラーとの組合せ効果と相俟って、非常に優れた仕上がりと持続性とを備えている。
【００２０】
また、このベースメイクは、時間の経過や発汗等によって化粧崩れしてきても、簡単に元通りに修復することができるという効果を奏する。すなわち、脂が浮いて崩れてきた部分の脂を、ごく軽く脂取り紙で押さえ、つぎに、浮いたファンデーションと、その浮いてきた自分の脂とを、指先で直接、ごしごしとこすって馴染ませると、新たにファンデーションを塗り直さなくても、ベースメイクを元通りに修復することができ、便利である。
【００２１】
なお、本発明のベースメイクアップ方法では、上記の例に示す１〜８のステップを全て網羅する必要はなく、例えば、シートマスクを用いるステップ１、美容トリートメントを用いるステップ２、下地ジェルを用いるステップ３、ファンデーション塗布後にプレストパウダーを用いるステップ５の、それぞれの内容は、顧客の肌の状態に応じて、適宜に変更したり、省略したりすることができる。
【００２２】
これに対し、ファンデーション塗布後に、白色コンシーラーと濃色コンシーラーを組み合わせて用いることにより、目の下のクマ、あざ、しみ、赤み等の特定部分をカバーするステップ４、ステップ６、ステップ７は、本発明の特徴的構成であり、これらを省略することはできない。
【００２３】
なお、上記ステップ４において用いるファンデーションは、必ずしもパウダー入りリキッドファンデーションである必要はなく、どのようなタイプのファンデーションであっても差し支えない。そして、その塗り方も、上記の例に限らず、適宜に設定することができる。ただし、仕上がり具合の点で、上記の例のように、リキッドファンデーションとパウダーファンデーションを混合したパウダー入りリキッドファンデーションを用いることが好適である。その場合、リキッドファンデーション１００重量部に対し、５〜５０重量部のパウダーファンデーションを配合したものが、特に好適である。すなわち、パウダーファンデーションが入っている方が、つぎに用いる白色コンシーラーおよび濃色コンシーラーを良好に保持することができるからである。
【００２４】
そして、上記ファンデーションの塗布量は、従来よりも薄く塗ることが好ましい。すなわち、このファンデーションの塗布量と、つぎのステップ６，７で用いる２種類のコンシーラーの塗布量とを合わせた塗布量が、通常のファンデーションの塗布量程度になるようにすると、自然な仕上がりとなり、好ましい。
【００２５】
また、上記ステップ６において用いる白色コンシーラーとしては、真っ白もしくは殆ど真っ白に近い肌色のコンシーラーが好ましい。上記「白色」の範囲を、マンセル表示系における明度の指標であるＶ値で示すと、Ｖ＝８．０〜１０．０として示すことができる。
【００２６】
さらに、上記ステップ７において用いる濃色コンシーラーとしては、茶色に近い濃色のベージュ色のコンシーラーが好ましい。上記「濃色」の範囲を、上記Ｖ値で示すと、Ｖ＝５．０〜７．０として示すことができる。
【００２７】
そして、上記白色コンシーラー、濃色コンシーラーとも、スティックタイプのコンシーラーであることが、施術作業性の点で好適である。
【００２８】
なお、上記の例では、ステップ７において、白色コンシーラーを塗った上に、濃色コンシーラーを重ねて塗り、その塗布部を指先でたたき込むような感覚で馴染ませるか、場所によっては伸ばし、両者を混ぜ合わせて、他の部分と同様の肌色の色にして、クマ，しみ等のカバーを行っているが、両者の混ぜ合わせ動作は、上記に限らず、どのようにしても差し支えない。ただし、上記の例のように、指先でたたき込むようにして馴染ませると、得られる肌色にくすみが生じず、透明感ある仕上がりになるため、好適である。
【００２９】
また、上記白色コンシーラーと濃色コンシーラーを混ぜ合わせて得られる肌色が、他の部分（ファンデーションのみ塗布されている部分）と異なる色調とならないようにするには、白色コンシーラーを塗った状態の色と、周囲の色とを対比して、周囲の色に近ければ濃色コンシーラーの塗布量を少なめに加減し、周囲の色とかけはなれて白っぽい場合には、濃色コンシーラーの塗布量を多いめに加減することが好適である。
【００３０】
さらに、上記の例では、美容施術に関する情報をシート１という形にまとめておき、施術者がこれを見ながら施術を進めるようにしているが、必ずしもこのような印刷物を用いる必要はなく、ＴＶモニターや、ＣＲＴ，液晶モニター等の画像装置を利用したり、コンピュータを利用したりすることができる。もちろん、施術者は、このような表示物を見ることなく施術を進めることもできる。
【００３１】
【発明の効果】
以上のように、本発明のベースメイクアップ方法は、顔全面にファンデーションを塗布したのち、問題のある部分に、白色コンシーラーと濃色コンシーラーを、この順で塗り重ねて顔面で混ぜ合わせるようにしたものである。したがって、単一の肌色のコンシーラーを用いた場合に比べて、カバー力が高く、しかもくすみがなく透明感のある肌色になり、きれいな仕上がりとなる。そして、このようにしてなされたベースメイクは、簡単に施術できるにもかかわらず、長時間化粧くずれしないため、撮影に入る女優や、イベントに参加するコンパニオン等にとって、好都合である。
【図面の簡単な説明】
【図１】本発明の一実施例に用いるシートの説明図である。
【図２】上記シートの部分的な説明図である。
【図３】上記シートの部分的な説明図である。
【図１】
2004008307.tif 000002
【図２】
2004008307.tif 000003
【図３】
2004008307.tif 000004